(57)【特許請求の範囲】
【請求項１】
スタッド端子（3）に対して少なくとも1つの導電体（2）を接続するための接続デバイス（1）であって、前記スタッド端子（3）のスタッド（31）に対する装着用の接続セクション（130）を有する接触要素（13）を備える接続デバイス（1）において、導電体（2）を挿入するための少なくとも1つのプラグ開口（100）を有するハウジング（10）であって、前記導電体（2）は、前記導電体が前記少なくとも1つのプラグ開口（100）内に挿入される場合に、前記接触要素（13）の接触セクション（133）と電気的接触状態にある、ハウジング（10）を備え、
前記少なくとも1つのプラグ開口（100）は、クランプ固定の様式で挿入位置に前記導電体（2）をロックするためのばね要素（12）に関連付けられ、
前記ばね要素（12）は、クランプレッグ（120）および保持レッグ（121）を有し、前記ばね要素（12）は、前記ハウジング（10）に対して前記保持レッグ（121）を介して支持され、前記クランプレッグ（120）は、前記挿入位置において前記接触要素（13）の前記接触セクション（133）に対して前記導電体（2）を押圧し、
前記接続デバイス（1）が、前記ハウジング（10）上に変動可能に配置され、前記ばね要素（12）の前記クランプレッグ（120）に接触することにより前記挿入位置から前記導電体（2）を解除するために作動され得る作動要素（11）を備え、
前記作動要素（11）は、前記ハウジング（10）の第1開口（101）内に変位可能に案内され、前記プラグ開口（100）および前記第1開口（101）が、前記ハウジング（10）の同じ面において外部に開いており、
前記作動要素（11）は、前記保持レッグ（121）に対して前記クランプレッグ（120）を変動させるための作動セクション（111）を有し、前記導電体（2）が前記プラグ開口（100）に挿入される方向において、前記作動セクション（111）が、前記プラグ開口（100）と部分的に重なっていることを特徴とする、接続デバイス（1）。
【請求項２】
前記接続セクション（130）は、前記スタッド（31）が挿入され得る開口（131）を有することを特徴とする、請求項1に記載の接続デバイス（1）。
【請求項３】
前記接続セクション（130）は、前記ハウジング（10）から突出するタブとして形成されることを特徴とする、請求項1または2に記載の接続デバイス（1）。
【請求項４】
前記クランプレッグ（120）は、前記保持レッグ（121）に対して弾性的に変動可能であることを特徴とする、請求項1から3のいずれか一項に記載の接続デバイス（1）。
【請求項５】
前記接触セクション（133）は、前記接続セクション（130）に対して斜めに延在することを特徴とする、請求項1から4のいずれか一項に記載の接続デバイス（1）。
【請求項６】
請求項1から5のいずれか一項に記載の接続デバイス（1）と、スタッド（31）を有するスタッド端子（3）と、を有する構成。
【請求項７】
前記スタッド（31）に対する接続のための接続セクション（400）を有するケーブルラグ（40）を有する電気ケーブル（4）を特徴とする、請求項6に記載の構成。
【請求項８】
前記スタッド（31）は、前記スタッド（31）に対して前記接続デバイス（1）を締め付けるための締付け要素（32）を螺着することが可能なねじスタッドとして設計されていることを特徴とする、請求項6または7に記載の構成。
【発明の詳細な説明】
【技術分野】
【０００１】
本発明は、請求項1のプリアンブルに記載の、スタッド端子に対して少なくとも1つの導電体を接続するための接続デバイスに関する。
【背景技術】
【０００２】
かかる接続デバイスは、スタッド端子のスタッドに対して装着するための接続セクションを有する接触要素を備える。
【０００３】
特許文献１は、例えば電気デバイスに対して導電体を接続するためのクランププレートを開示している。この場合には、ホルダが、接続端子を有し、目穴を有する接触ストリップを介して電気デバイスの金属部に対して接続され得る。
【０００４】
スタッド端子は、大きな導体断面を有する電気ケーブル同士を電気接続する役割をしばしば果たす。この目的のために、かかるケーブルは、このようにして電気的接触を確立するようにスタッド端子のスタッド上に配置され得るケーブルラグを有する。例えばより小さな導体断面を有するさらなる導電体が、かかる接触点に対して接続されるべき場合には、(より大きな導体断面を有する) 電気ケーブルのケーブルラグとスタッド端子との間にこれらの導体をクランプ固定することが必要となり得るが、これは、困難である場合があり、さらには場合によっては不確実な電気的接触しか実現できない場合がある。
【０００５】
特許文献２は、ケーブルラグを挿入することが可能なばね力クランプを開示している。
【０００６】
また、特許文献３により、ケーブルラグを有する電気ケーブル用の接続デバイスが知られている。
【先行技術文献】
【特許文献】
【０００７】
【特許文献１】独国特許第3102640号明細書
【特許文献２】独国特許第102006057712号明細書
【特許文献３】独国実用新案第202004002779号明細書
【発明の概要】
【発明が解決しようとする課題】
【０００８】
本発明の目的は、スタッド端子に対して少なくとも1つの導電体を接続するための接続デバイスであって、小さな導体断面を有し得る導電体とスタッド端子との間の確実な電気的接触を扱いの容易な様式で確立することを可能にする接続デバイスを提供することである。
【課題を解決するための手段】
【０００９】
この課題は、請求項1の特徴を有する物体により達成される。
【００１０】
したがって、接続デバイスは、導電体を挿入するための少なくとも1つのプラグ開口を有するハウジングを有し、導電体は、導電体が少なくとも1つのプラグ開口に挿入される場合に接触要素の接触セクションと電気的接触状態にある。
【００１１】
したがって、接続デバイスは、1つまたは複数のプラグ開口を有し、(例えば小さな導体断面を有する) 1つ以上の導電体が、この1つ以上のプラグ開口に挿入され得る。これらの導体がプラグ開口に挿入されると、導体は、接触要素の接触セクションに接触し、このようにすることで、接触要素がスタッド端子のスタッドに対して装着されるとスタッド端子に対して接続される。したがって、例えばケーブルラグなどを有する電気ケーブルをスタッド端子上に配置することにより、(場合によっては大きな導体断面を有する) 1つ以上の電気ケーブルに (例えば小さな導体断面を有する)導電体を接触させることが可能となる。
【００１２】
1つまたは複数のプラグ開口が、接続デバイスのハウジングに形成される。導体が、プラグイン方向においてプラグ開口の中の1つにプラグインされ得、このようにすることで接触要素の接触セクションに接触する。
【００１３】
接触要素の接続セクションは、例えば目穴の性質を有する開口を有することが可能であり、これにより接続セクションは、スタッド端子のスタッド上に配置されることが可能となる。スタッドは、例えばねじナットの性質を有する締付け要素を使用することにより、接続セクションがスタッドに対して固定され、例えば電気ケーブルのケーブルラグなどと共にクランプ固定され得るように、ねじスタッドとして設計されることが可能である。
【００１４】
一実施形態では、接続セクションは、ハウジングから突出するタブとして形成される。したがって、接続セクションは、接続デバイスが接触要素の接続セクションを介してスタッド端子に対して接続され得るように、ハウジング外へと突き出て、ハウジングから突出する。
【００１５】
一実施形態では、接続デバイスは、1つ以上の導電体を接続するためのばね力接続部を実現する。これを目的として、少なくとも1つのプラグ開口は、ばね要素に関連付けられてよく、このばね要素は、プラグ開口に挿入された導電体をクランプ固定の様式でプラグ開口内にロックし、したがって第1に接続デバイス上に導電体を機械的に保持し、第2に接触要素の接触セクションに対して導電体を電気的に接続する役割を果たす。
【００１６】
かかるばね要素は、例えばクランプレッグおよび保持レッグを有することが可能である。保持レッグにより、ばね要素はハウジングに対して支持され、したがってハウジング内に保持される。対照的に、保持レッグに対して角度をつけられ得るクランプレッグは、ハウジング内で自在にかつ変動可能に延在し、挿入位置において接触要素の接触セクションに対して導体を押圧する役割を果たす。
【００１７】
クランプレッグは、好ましくは保持レッグに対して弾性的に変動可能である。特に、ばね要素は、いわゆる直接挿入を可能にし得るものであり、導電体は、プラグ開口に挿入され、それによりクランプレッグが屈折されるようにプラグ開口に関連付けられたばね要素のクランプレッグと相互作用する。結果として、ばね要素は、クランプレッグを介して導電体に対してばね要素がばね力を印加するように弾性的に張力をかけられ、したがってそれによりプラグ開口内に導電体を機械的にロックし、さらに導電体を接触要素の接触セクションと電気的接触状態へと押し付ける。
【００１８】
一実施形態では、接続デバイスは、ハウジング上に変動可能に配置される作動要素を有する。作動要素は、特にプラグ開口に挿入された導体をプラグ開口から解除する役割を果たす。これを目的として、作動要素は、例えば本体がハウジングの開口内に位置する状態などで位置することができ、したがって開口内において変位可能に案内される。作動セクションは、本体から突出し、作動要素が変動されるとクランプレッグに対して作用し、したがって導電体に対するクランプ力が解除されるように保持レッグに対してクランプレッグを変動させる。
【００１９】
作動要素は、例えば手動でまたは例えばスクリュードライバ等の道具を使用して作動可能であり得る。
【００２０】
一実施形態では、接触セクションは、接続セクションに対して傾斜され得る。したがって、接触セクションおよび接触要素の接続セクションは、相互に対して傾斜角度で延在し、接触セクションは、好ましくはハウジングにより少なくとも部分的に包囲され、ハウジングのプラグ開口に挿入された導電体に電気的接触する役割を果たす。接触セクションが、接続セクションに対して斜めに延在することにより、導体がハウジングのプラグ開口に挿入されることとなるプラグイン方向は、接続デバイスがスタッド端子上に配置されても接続デバイス中への導電体の簡単なプラグインが可能となるように、斜めに配向され得る。
【００２１】
構成が、好ましくは上述のタイプの接続デバイスとスタッドを有するスタッド端子とを備える。電気ケーブルが、ケーブルラグによりスタッド端子のスタッドに対して装着され、このようにすることで、接続デバイスに対して接続された (例えば小さな導体断面を有する)導電体が (場合によっては大きな導体断面を有する)電気ケーブルに電気的接触させられ得るようにスタッド端子に対して接続され得る。
【００２２】
スタッドは、例えばねじナットの形態などの締付け要素の螺着が可能であることにより、接続デバイスおよび場合によっては1つまたは複数の電気ケーブルがスタッド端子に対して固定され得る、ねじスタッドの形態をとることが可能である。
【００２３】
原則的に、1つ以上の接続デバイスおよびさらにケーブルラグを有する1つ以上の電気ケーブルが、かかるスタッド端子に対して接続され得る。これを目的として、電気ケーブルのケーブルラグおよび接続デバイスの接触要素の接続セクションは、上下にスタッド上に重ねられ、電気ケーブルおよび接続デバイスがスタッド上に機械的に保持されさらに相互に電気的に接触されるように、締付け要素を介して相互に対してクランプ固定される。
【００２４】
以下、本発明の背景にある発案が、図面に示す例示の実施形態を基礎としてさらに詳細に説明される。
【図面の簡単な説明】
【００２５】
【図１Ａ】接続デバイスの例示の一実施形態の側面図である。
【図１Ｂ】接続デバイスの斜視図である。
【図２Ａ】接続デバイスの別の例示の実施形態の側面図である。
【図２Ｂ】接続デバイスの斜視図である。
【図３】スタッド端子上にある図1A、図1Bによる接続デバイスの図である。
【図４】ケーブルラグを介してスタッド端子のスタッド上に電気ケーブルがさらに配置された、図3による構成を示す図である。
【図５】2つの接続デバイスがスタッド端子上に配置された構成の図である。
【図６Ａ】図5による構成の側面図である。
【図６Ｂ】図6Aによる線A-Aに沿った断面図である。
【図７】導電体を接続するための接続デバイスのばね力接続の概略図である。
【発明を実施するための形態】
【００２６】
図1Aおよび図1Bは、スタッド端子3(図3を参照)に対して、任意には小さな導体断面を有し得る導電体2を接続する役割を果たす接続デバイス1の例示の一実施形態を示す。
【００２７】
この目的のために、接続デバイス1は、プラグ開口100が形成されたハウジング10を有し、このプラグ開口100内には、導電体2がハウジング10内の接触要素13と電気的接触するようにプラグイン方向Eに沿って挿入され得る。接触要素13は、タブの様式でハウジング10から突出し、目穴の様式で形状設定された開口131を有する接続セクション130を有し、この接続セクション130により、図3に示すように、接続デバイス1はスタッド端子3のスタッド31に対して装着され得る。
【００２８】
図1A、図1Bによる例示の実施形態においては、プラグイン方向Eに対して横方向の列に配置された4つのプラグ開口100が、ハウジング10上に設けられるが、図2A、図2Bに示す接続デバイス1は、プラグイン方向Eに対して横方向の列で配置された3つのプラグ開口100を有する。図2A、図2Bによる例示の実施形態のプラグ開口100は、例えば図2A、図2Bによる接続デバイス1が(幾分か)より大きな導体断面を有する導電体2を接続するのに適するように、図1A、図1Bによる例示の実施形態のプラグ開口100よりも大きな直径を有してもよい。
【００２９】
いずれの場合でも、プレート支持セクション103が、ハウジング10上に形成され、例えばプラグ開口100に挿入された導電体2などを識別するための識別プレートが、このプレート支持セクション103に対して貼付され得る。
【００３０】
接続デバイス1は、図1A、図1Bによる例示の実施形態および図2A、図2Bによる例示の実施形態の両方において、導電体2を接続デバイス1に対してばね力でロックし接触させることが可能なばね力接続部を実現する。
【００３１】
図7において概略的に示されるように、各プラグ開口100は、例えばばね鋼から作製されるなど弾性を有するばね要素12に関連付けられ、ばね要素12は、ハウジング10上に支持されたクランプレッグ120および保持レッグ121を有する。図7から分かるように、クランプレッグ120は、関連付けられるプラグ開口100の領域内に突出し、導電体2がプラグ開口100内に機械的にロックされ、ハウジング10内に延在する接触要素13の接触セクション133とさらに電気的接触されるように、プラグ開口100に挿入された導電体を接続デバイス1に対してクランプ固定する役割を果たす。
【００３２】
特に、この接続デバイス1により、導電体2の直接的な挿入が可能となる。導電体2がプラグ開口100に挿入されると、ストリップ状導体端部を有する導電体2は、クランプレッグ120と接触状態になり、保持レッグ121に対してこのクランプレッグ120を屈折させる。これにより、導電体2の導体端部は、クランプレッグ120と接触要素13の接触セクション133との間の中間位置へと置かれ、それにより導電体2は、接触セクション133に対してクランプ固定され、さらにこのようにすることで接触セクション133に電気的接触する。
【００３３】
図1Bおよび図2Bから分かるように、各プラグ開口100は、本体110と本体110から突出する作動セクション111とを有する作動要素11(図7を参照)に関連付けられる。本体110により、作動要素11は、ハウジング10の関連付けられる開口101内に位置し、ハウジング10上において変位可能に案内される。
【００３４】
作動要素11は、関連付けられたプラグ開口100内に挿入された導電体2をプラグ開口100から解除する役割を果たす。これを目的として、ユーザは、例えばスクリュードライバなどの道具を用いて作動要素11の本体110に対して働きかけ、ハウジング10内へと本体110を押し込むことが可能であり、それにより作動セクション111は、クランプレッグ120と相互作用し、導電体2とのクランプ当接状態からこのクランプレッグ120を移動させる。したがって、プラグ開口100内における導電体2の機械的ロックは、導電体2がプラグイン方向Eとは逆にハウジング10から取り外され得るように解除される。
【００３５】
ばね要素12は、ベントレッグばねの形態をとり、ハウジング10のハウジングセクション102の周囲に延在する。ばね要素12は、クランプレッグ120が屈折された場合に保持レッグ121がクランプレッグ120と共に移動されないように、保持レッグ121を介してハウジング10に対して支持される。
【００３６】
図1A、図1B、図2A、図2B、および図7から分かるように、プラグイン方向Eは、接触要素13の接続セクション130に対して斜めに延在する。さらに、接触要素13の接触セクション133は、接続セクション130に対してやはり斜めに配向される。これにより、接続デバイス1が図3に示すようにスタッド端子3上に配置されても、接続デバイス1に対して導電体2を単純で都合のよい様式で装着することが可能となる。
【００３７】
図3に示すように、スタッド端子3は、例えばプラスチック材料などの電気絶縁材料などから作製されるフット30を有する。スタッド31が、フット30上に配置され、特に金属材料などの導電性材料から作製され、このスタッド31は、締付け要素32が、スタッド端子3に対して装着された接続デバイス1をスタッド端子3に対して締め付けるために図4に示すようにねじナットの様式でスタッド31に対して螺着され得るように、例えばねじスタッドなどとして構成される。
【００３８】
1つまたは複数の接続デバイス1およびさらに1つまたは複数の電気ケーブル4が、かかるスタッド端子3に対して接続され得る。
【００３９】
例えば図4は、接続デバイス1とさらにケーブルラグ40を有する2つの電気ケーブル4とが、スタッド端子3のスタッド31に対して装着される構成を示す。この場合に、接続デバイス1の接触要素13の接続セクション130は、スタッド端子3のフット30の支持セクション300上に載置され、一方で接続セクション400を有するケーブルラグ40は、支持セクション300の上方に重ねられる。ケーブルラグ40および接触要素13は、締付け要素32を介して相互に対してクランプ固定され、相互に対して電気的接触し、さらにスタッド端子3に対して機械的に締め付けられる。
【００４０】
図5は、2つの接続デバイス1がスタッド端子3上に配置される構成を対照的に示す。図6Aは、図5による構成を側面図で示し、図6Bは、図6Aによる線A-Aに沿った断面図を示す。
【００４１】
比較的小さな導体断面を有する導体2が、比較的大きな導体断面を有する電気ケーブル4に対して、既述のタイプの接続デバイス1を介してスタッド端子3上において接続され得る。この場合に、接続デバイス1は、異なる導体断面を有する導体2同士を接続するためにそれぞれ異なる直径のプラグ開口100を有することが可能である。例えば、同一または異なる導体断面を有する導体2同士を接続するための複数列のプラグ開口100が、1つの接続デバイス1上に設けられ得る。
【００４２】
同一または異なる設計の基本的に任意の個数の接続デバイス1、およびさらにケーブルラグ40を有する任意の個数の電気ケーブル4が、1つのスタッド端子3に対して接続され得る。接続可能な接続デバイス1および電気ケーブル4の個数は、スタッド端子3のスタッド31の利用可能な設置空間および長さによってのみ制限される。
【００４３】
本発明の基礎となる発案は、上述の例示の実施形態には限定されず、完全に異なる様式で実現されることが原則的に可能である。
【００４４】
接続デバイスは、プラグイン方式での導電体の挿入を可能にする。この場合に、接続デバイスは、ばね力接続部を有することが可能であり、原則的に、接続デバイス上において種々のタイプの接続部(ばね要素の使用を伴わない)を設けることがさらに考えられる。
【００４５】
スタッド端子は、接続デバイスとケーブルラグを有する電気ケーブルとが装着され得る1つまたは複数のスタッドを有することが可能である。したがって、接続デバイスおよび電気ケーブルは、かかるスタッド端子を介して相互に電気的接触され得る。
【００４６】
かかるスタッド端子は、例えばスタッド端子が例えば一連のクランプ等の他のクランプデバイスなどと組み合されることが可能になるように、支持レールに対して装着され得る。
【符号の説明】
【００４７】
1  接続デバイス
10  ハウジング
100  プラグ開口
101  開口
102  ハウジングセクション
103  プレート支持セクション
11  作動要素
110  本体
111  作動セクション
12  ばね要素
120  クランプレッグ
121  保持レッグ
13  接触要素(バスバー)
130  接続セクション
131  開口
132  セクション
133  接触セクション
2  導電体、導体
3  スタッド端子
30  フット
300  支持セクション
31  (ねじ)スタッド
32  締付け要素(ナット)
4  ケーブル
40  ケーブルラグ
400  接続セクション
E  プラグイン方向
【図１Ａ】
0006935517.tif 000002
【図１Ｂ】
0006935517.tif 000003
【図２Ａ】
0006935517.tif 000004
【図２Ｂ】
0006935517.tif 000005
【図３】
0006935517.tif 000006
【図４】
0006935517.tif 000007
【図５】
0006935517.tif 000008
【図６Ａ】
0006935517.tif 000009
【図６Ｂ】
0006935517.tif 000010
【図７】
0006935517.tif 000011